(57)【要約】【課題】  ピアノの外観を損ねず、また、ピアノ本体内へのホコリの侵入を防止可能な音抜け構造を有するアップライトピアノを提供する。【解決手段】  ピアノ１では、響板から発っせられる演奏音は、背面側と正面側（演奏者側）に向かい、このうち正面側に向かった音は、上前板１２、下前板１３、両側面板１４、響板、屋根１８等で囲まれた空間にこもることとなる。しかし、このピアノ１では、上前板１２の背面側に設置されたスライド板３をスライドさせて第１貫通孔１２ａを開けておくと、響板からピアノ１の正面に向かった音が第１貫通孔１２ａを通してピアノ１の正面側に出るので、演奏音がピアノ本体１０内にこもることを防止することができる。また、このピアノ１は、第１貫通孔１２ａが閉じられる位置にスライド板３をスライドさせておけば、ホコリ等のゴミがピアノ本体１０内に侵入することを防止することができる。【選択図】図４
2010204454.tif 000002
【特許請求の範囲】
【請求項１】
第１貫通孔が設けられた上前板と、
この上前板の正面側の板面よりも背面側に設けられ、前記第１貫通孔を開閉する開閉手段と、
前記開閉手段を開閉操作する操作手段と、
を備えることを特徴とするアップライトピアノ。
【請求項２】
請求項１に記載のアップライトピアノにおいて、
板状に形成した前記開閉手段を、前記上前板に平行に配置するとともに、前記上前板の背面側の板面上をスライド可能に配置したことを特徴とするアップライトピアノ。
【請求項３】
請求項１，２のいずれかに記載のアップライトピアノにおいて、
前記開閉手段は、
第２貫通孔が設けられた板状の部材であり、
前記第１貫通孔を開くときは、前記第２貫通孔が前記第１貫通孔に重なる位置に移動し、前記第１貫通孔を閉じるときは、前記第２貫通孔が前記第１貫通孔に重ならない位置に移動することを特徴とするアップライトピアノ。
【発明の詳細な説明】
【技術分野】
【０００１】
本発明は、アップライトピアノに関する。
【背景技術】
【０００２】
従来より、アップライトピアノにおいては、響板から発っせられる音がケース内にこもることを防止するために、上前板に音抜用の孔を設けたものが知られている。
また、図９に示すように、上前板１００に設けた孔１０１を面棒部品１１０で覆い、上前板１００に設けた孔１０１と、面棒部品１１０と上前板１００との間に形成された隙間１１１とを介して、音抜けを行うものも知られている（特許文献１）。
【先行技術文献】
【特許文献】
【０００３】
【特許文献１】特開２００７−１８７８８６号公報
【発明の概要】
【発明が解決しようとする課題】
【０００４】
しかし、上前板に単に音抜用の孔を開けただけだと、音抜けは確実に行えるが、音抜用の孔からピアノ本体内にホコリが侵入してしまうという問題があった。
また、空中に浮かぶチリ等のゴミは直線的に移動するので、面棒部品１１０を上前板１００上に設置して音抜け用の経路を曲げれば、ゴミの侵入をある程度防止できるものの、そのためには面棒部品１１０を上前板１００に付けなくてはいけないといった外観上の制約を受けるという問題もあった。
【０００５】
本発明は、こうした問題に鑑みなされたもので、ピアノの外観上の制約を受けることなく音抜けを行うことができ、しかも、ピアノ本体内へのホコリの侵入を防止できるアップライトピアノを提供することを目的とする。
【課題を解決するための手段】
【０００６】
かかる問題を解決するためになされた請求項１に記載のアップライトピアノは、第１貫通孔が設けられた上前板と、この上前板の正面側の板面よりも背面側に設けられ、前記第１貫通孔を開閉する開閉手段と、前記開閉手段を開閉操作する操作手段と、を備えることを特徴とする。
【０００７】
このようにすると、ピアノ演奏時には、第１貫通孔を開けることでこもりを防止でき、、また、非演奏時には、第１貫通孔を閉じることで、ピアノ本体内にゴミが侵入することを防止することができる。
【０００８】
しかも、このアップライトピアノでは、第１貫通孔を開閉する開閉手段を設けても、この開閉手段が上前板の正面側の面上に凹凸を発生させない位置に設けられているので、ピアノの外観を損ねることもない。
【０００９】
従って、このアップライトピアノを用いると、ピアノの外観上の制約を受けることなく音抜けを行うことができ、しかも、ピアノ本体内へのホコリの侵入を防止できる。
尚、正面側とは、アップライトピアノから見て演奏者を向く方向側であり、背面側とは
この反対方向側である。
【００１０】
また、操作手段は、開閉手段に取り付けられたつまみでもよいし、ペダルまたはレバーと、このペダルまたはレバーの動作を、開閉手段を開閉するための動作として開閉手段に伝達する機構とで構成してもよい。その他、操作手段は、開閉手段を開閉操作可能な手段であれば、どのような手段であってもよい。
【００１１】
また、開閉手段の設置位置は、上前板の正面側の板面よりも背面側であれば、上前板の板中でもよいし、上前板の背面側でもよい。開閉手段を上前板の背面側に設置した場合、請求項２に記載したように、板状に形成した前記開閉手段を、上前板に平行に配置するとともに、上前板の背面側の板面上をスライド可能に配置するとよい。このようにすると、アップライトピアノの内部の限られた空間内でも開閉手段を設置できる。
【００１２】
次に、請求項３に記載したように、開閉手段は、第２貫通孔が設けられた板状の部材であり、第１貫通孔を開くときは、第２貫通孔が第１貫通孔に重なる位置に移動し、第１貫通孔を閉じるときは、第２貫通孔が第１貫通孔に重ならない位置に移動するよう構成してもよい。
【００１３】
このようにすると、少なくとも上前板の厚み分の深さを有する第１貫通孔に、さらに第２貫通孔が重なることとなって、第１貫通孔と第２貫通孔とを合わせた貫通孔の深さが単に第１貫通孔が設けられた場合に比べて深くなる。一方、ゴミとしてピアノ本体内に侵入するものは、空中に舞うチリが中心であり、このチリが舞う軌道は、第１貫通孔と第２貫通孔とが重なって形成する貫通孔の深さ方向と一致することは少ない。そのため、貫通孔の深さが深いほどチリがピアノ本体内に侵入することが少なくなるので、本発明のように構成すると、第１貫通孔が開いたとき、第１貫通孔のみが音抜け用の貫通孔として設けられていた場合に比べて、チリがピアノ本体内に侵入することをより確実に防止することができる。
【図面の簡単な説明】
【００１４】
【図１】第１実施形態のアップライトピアノの（ａ）正面図、及び、（ｂ）側面図である。
【図２】第１実施形態のアップライトピアノの背面図である。
【図３】第１実施形態のアップライトピアノの側面図で、屋根前を屋根後に折り畳んだ様子を示す図である。
【図４】第１実施形態のアップライトピアノを一部透過して示した正面図で、（ａ）は、スライド板３で第１貫通孔１２ａを閉じた様子を示す図で、（ｂ）は、スライド板３で第１貫通孔１２ａを開いた様子を示す図である。
【図５】スライド板周辺の構成を説明するための説明図で、（ａ）は、第１実施形態のアップライトピアノを構成する上前板のうち、長手方向中央より左側の部分を拡大して示した正面図で、（ｂ）は、同部分の平面図で（（ａ）を矢印Ｂの方向に見た平面図）、（ｃ）は、（ａ）のＡ−Ａ’断面図である。
【図６】第２実施形態のアップライトピアノの正面図である。
【図７】第２実施形態のアップライトピアノを一部透過して示した正面図で、（ａ）は、スライド板３で第１貫通孔１２ａを閉じた様子を示す図で、（ｂ）は、スライド板３で第１貫通孔１２ａを開いた様子を示す図である。
【図８】他の実施形態であるアップライトピアノの正面図である。
【図９】従来のアップライトピアノの（ａ）正面図、及び、（ｂ）（ａ）のＣ−Ｃ’断面図である。
【発明を実施するための形態】
【００１５】
［第１実施形態］
以下に、本願発明が適用された第１実施形態について図１〜図５を用いて説明する。
尚、以下では、アップライトピアノから見て演奏者を向く方向側を正面側とよび、この反対方向側を背面側と呼ぶ。
【００１６】
（全体構成）
本実施形態のアップライトピアノ１（以下、「ピアノ１」という）は、図１に示すように、複数の鍵からなる図示しない鍵盤を備える筐体であるピアノ本体１０を備えている。
【００１７】
このピアノ本体１０は、図１（ａ）に示すように、正面側のうち、鍵盤設置部１１の上方に上前板１２、下方に下前板１３が配置され、図１（ｂ）に示すように、演奏者から見て上前板１２及び下前板１３の左右両端に側面板１４が配置されている。また、ピアノ本体１０は、図２に示すように、背面側に、左右方向に所定間隔ずつ空けて配置された上下方向に長尺な支柱１５と、これら支柱１５の上部に配置された桁貼１６とを備えている。
【００１８】
そして、ピアノ１では、ピアノ本体１０を構成する上前板１２、下前板１３、両側面板１４、支柱１５及び桁貼１６によって、これらに囲まれた空間が形成され、この空間内に、響板１７や、図示しないアクションや弦が配置される。
【００１９】
また、ピアノ本体１０が形成する空間の上部の開口（上前板１２、両側面板１４、桁貼１６で形成する開口）は、図１（ｂ）に示すように、前後２つの屋根１８，１９で閉じられている。尚、これらの屋根１８，１９のうち、正面側の屋根を屋根前１８、背面側の屋根を屋根後１９とよぶ。
【００２０】
このうち屋根前１８は、図３に示すように、屋根後１９上に折畳可能に取り付けられている。そのため、ピアノ本体１０は、屋根前１８を屋根後１９に折り返すことで、ピアノ本体１０の内部空間を空けることができるよう構成されている。
【００２１】
（特徴的な構成）
本実施形態のピアノ１は、図１（ａ）に示すように、上前板１２の長手方向中央から左右両側に同じ距離だけ離れた位置に、上前板１２を貫通する１２行９列の複数の第１貫通孔１２ａがそれぞれ密集して設けられている。
【００２２】
そして、本実施形態のピアノ１は、図４に示すように、上前板１２の背面側（ピアノ本体１０の内部空間側）には、第１貫通孔１２ａを開閉するためのスライド板３（一点鎖線）が配置されている。
【００２３】
また上前板１２の背面側には、スライド板３を、すべての第１貫通孔１２ａを閉じる位置（図４（ａ））から、この位置に対し、上前板１２の長手方向の中央よりの位置であって、すべての第１貫通孔１２ａを開放する位置（図４（ｂ））まで案内する上下一対のスライドガイドレール３０（点線）が設置されている。
【００２４】
このスライドガイドレール３０は、図５（ｂ）に示すように、スライド板３の上下の各側面が接触する底部３０ａと、上前板１２との間にスライド板３を挟む挟部３０ｂとで略Ｌ字状に形成されたレールで、図５（ｃ）に示すように、上側のスライドガイドレール３０の底部には、スライド板３の上部側面に設けられたつまみ４を挿通する挿通孔３０ｃが設けられている。この挿通孔３０ｃは、スライドガイドレール３０の長手方向に沿って長尺に形成され、つまみ４を操作して、第１貫通孔１２ａを閉じる位置から開ける位置までスライド板３を操作可能な長さに形成されている。
【００２５】
つまみ４は、平板状に形成された金属製の板をＬ字状に折り曲げて形成したもので、、スライド板３をスライドガイドレール３０に対しスライド可能に取り付けた後、Ｌ字の一方の辺側を挿通孔３０ｃを通してスライド板３に打ち込んで取り付けられる。このときつまみ４は、他方の辺が、スライドガイドレール３０の底部３０ａの上部側面に重ねられるとともに、演奏者側に向かうように取り付けられる。
【００２６】
また、つまみ４は、上前板１２の上部側面に重ねられた状態で配置されるので、屋根前１８を閉じたとき、屋根前１８と上前板１２の上部側面との間につまみ４の他方の辺を挟んでも、この間に大きな隙間が開かないような薄い金属製の板で形成される。また、つまみ４の他方の辺は、その先端をつまんで操作することができるように、スライド板３に取り付けたとき、上前板１２の演奏者側の面から突出する長さに形成されている。そのため本実施形態のピアノ１では、屋根前１８を開けてつまみ４を操作すれば、第１貫通孔１２ａを開閉することができる。
【００２７】
（本実施形態の特徴的な作用・効果）
以上のように構成された本実施形態１のピアノ１では、図示しない鍵盤の何れかの鍵を押鍵すると、この鍵に対応する弦が打弦され、打弦された弦の振動が響板１７に伝えられて、演奏音が発せられる。
【００２８】
そして演奏音は、ピアノ１の背面側と正面側に向かい、このうちピアノ１の背面側に向かった音は、支柱１５の間を通って家屋の壁面等に向かい、家屋の壁面等で反射して、ピアノ１の正面側に向かう。
【００２９】
一方、響板１７から直接正面側に向かった音は、上前板１２、下前板１３、両側面板１４、響板１７、屋根１８，１９等で囲まれた空間にこもることとなるが、本実施形態のピアノ１では、つまみ４を操作して第１貫通孔１２ａが開くようにスライド板３をスライドさせておくと、第１貫通孔１２ａを通してピアノ１の正面側に出るので、演奏音がピアノ本体１０内にこもることを防止することができる。
【００３０】
また、本実施形態のピアノ１では、こもり防止のために第１貫通孔１２ａを演奏音が通過するが、このことにより演奏中は、演奏音の衝撃波が、ピアノ本体１０内へのホコリの侵入を阻止する。また、本実施形態では、非演奏中は、屋根前１８を開けてつまみ４を操作して、第１貫通孔１２ａが閉じられる位置にスライド板３をスライドさせておけば、ホコリ等のゴミがピアノ本体１０内に侵入することを防止することができる。そのため、本実施形態のピアノ１では、演奏時及び非演奏時を問わず、ピアノ本体１０内へのゴミの侵入を防止することができる。
【００３１】
次に、本実施形態では、つまみ４を操作すると、スライド板３を、上前板１２の板面に沿って移動し、第１貫通孔１２ａを開閉するように取り付けたので、アップライトピアノ１の限られた空間内でもスライド板３を設置できる。
［第２実施形態］
次に、第２実施形態について図６，図７を用いて説明する。
【００３２】
尚、以下では、第１実施形態と異なる点についてのみ説明し、第１実施形態と同様の構成については、同じ符号を付して説明する。
第１実施形態では、図６に示すように、第１貫通孔１２ａが１２行９列設けられているのに対し、本実施形態では、第１貫通孔１２ａが、第１実施形態の場合と同一間隔で１２行１８列設けられ、第１貫通孔１２ａの数が約２倍になっている点が、第１実施形態と異なる。
【００３３】
また、本実施形態では、図７に示すように、スライド板３にも、このスライド板３を貫通する第２貫通孔３ａが設けられ、この第２貫通孔３ａが、第１貫通孔１２ａと同じ数同じ配列で設けられている点が、第１実施形態と異なる。
【００３４】
そして、本実施形態では、図７（ａ）に示すように、スライド板３が、第１貫通孔１２ａと第２貫通孔３ａとを重ねることができる位置を通過してスライドするように、上前板３に対して配置されている。
【００３５】
このように構成された本実施形態のピアノ１では、スライド板３を、第１貫通孔１２ａと第２貫通孔３ａとが重なる位置にスライドさせれば、第１貫通孔１２ａと第２貫通孔３ａとを通して、ピアノ本体１０と外部空間とがつながり、ピアノ本体１０内に音がこもることが防止される。
【００３６】
また、第１実施形態では、スライド板３全体を第１貫通孔１２ａが設けられている位置から設けられていない位置までスライドさせる必要があるが（図３参照）、本実施形態では、図７（ｂ）に示すように、第１貫通孔１２ａと第２貫通孔３ａとがズレさえすれば第１貫通孔１２ａが閉じられるので、スライド板３を大きく移動しなくても、第１貫通孔１２ａを開閉できる。
【００３７】
さらに、本実施形態では、少なくとも上前板１２の厚み分の深さを有する第１貫通孔１２ａに、さらに第２貫通孔３ａが重ねることとなって、第１貫通孔１２ａと第２貫通孔３ａとを合わせた孔の深さが、第１貫通孔１２ａのみの場合に比べて深くなる。そのため、ピアノ本体１０へのホコリの侵入が第１実施形態の場合に比べ困難なものとなるので、本実施形態のように構成すると、第１実施形態に比べ、ホコリがピアノ本体１０内に侵入することをより確実に防止することができる。
（その他の実施形態）
上記実施形態では、各第１貫通孔１２ａについて点状に形成したものについて説明したが、図８に示すように、第１貫通孔１２ａを上下方向に長尺に形成してもよく、その他どのような形状に形成してもよい。
【００３８】
また、上記実施形態では、１２行９列、１２行１８列の第１貫通孔１２ａについて説明したが、これらの数・配列に限られるものではなく、一定の大きさの円内に、複数の第１貫通孔１２ａを配置してもよいし、第１貫通孔１２ａが密集するポイントを２カ所ではなく、１カ所、あるいは３カ所以上としてもよい。
【００３９】
本発明は、特許請求の範囲に記載された発明の趣旨に合致するものであればよく、上述の実施形態に限定されるものではない。
（対応関係）
本実施形態のスライド板３は本発明の開閉手段に相当し、つまみ４は操作手段に相当する。
【００４０】
尚、本発明は、特許請求の範囲に記載された発明の趣旨に合致するものであればよく、上述の実施形態に限定されるものではない。
【符号の説明】
【００４１】
１…アップライトピアノ、３…スライド板、３ａ…第２貫通孔、４…つまみ、１０…ピアノ本体、１１…鍵盤設置部、１２…上前板、１２ａ…第１貫通孔、１３…下前板、１４…側面板、１５…支柱、１６…桁貼、１７…響板、１８…屋根前、１９…屋根後、３０…スライドガイドレール、３０ａ…底部、３０ｂ…挟部、３０ｃ…挿通孔。
【図２】
2010204454.tif 000003
【図３】
2010204454.tif 000004
【図８】
2010204454.tif 000005
【図１】
2010204454.tif 000006
【図４】
2010204454.tif 000007
【図５】
2010204454.tif 000008
【図６】
2010204454.tif 000009
【図７】
2010204454.tif 000010
【図９】
2010204454.tif 000011